(57)【要約】【課題】カードの番号を変更した場合のユーザの利便性を向上可能とすることを目的とする。【解決手段】番号対応付けサーバ１０は、ユーザ識別情報及びクレジットカード番号を示す識別コード情報に、バーチャル番号を示す特定文字列情報を対応付ける特定文字列対応付け手段１０３と、請求サーバ３０から、ユーザ識別情報及び特定文字列情報に対応付けられた利用料を示す請求情報を受信する請求情報受信手段１０５と、クレジットカード番号が変更された場合、特定文字列対応付け手段１０３が対応付けるクレジットカード番号を示す識別コード情報を、変更されたクレジットカード番号を示す識別コード情報に更新する更新手段１０７と、を備える。【選択図】図１
2020187799.tif 000002
【特許請求の範囲】
【請求項１】
ユーザのカードを利用する自動引き落とし契約の利用料を請求する請求サーバとネットワークを介して接続される番号対応付けサーバであって、
前記ユーザを識別するユーザ識別情報と共に前記カードのカード番号にバーチャル番号を示す特定文字列を1対１に対応付ける特定文字列対応付け手段と、
前記請求サーバから、前記ユーザ識別情報及び前記バーチャル番号に対応付けられた前記利用料を示す請求情報を受信する請求情報受信手段と、を備えることを特徴とする番号対応付けサーバ。
【請求項２】
前記カード番号が変更された場合、前記バーチャル番号に対応付けられたカード番号を変更後のカード番号に更新する更新手段を備えることを特徴とする請求項１に記載の番号対応付けサーバ。
【請求項３】
前記ユーザ識別情報及び前記バーチャル番号に基づき、与信を照会する照会手段を、さらに備え、
前記特定文字列対応付け手段は、前記照会手段による照会結果に応じて、前記ユーザ識別情報及び前記カード番号に対応付けた特定文字列対応付け情報を生成することを特徴とする請求項１又は２に記載の番号対応付けサーバ。
【請求項４】
ユーザのカードを利用する自動引き落とし契約の利用料を請求する請求サーバとネットワークを介して接続される番号対応付けサーバが実行する方法であって、
前記ユーザを識別するユーザ識別情報と共に前記カードのカード番号に前記カードのバーチャル番号を示す特定文字列を1対１に対応付けるステップと、
前記請求サーバから、前記ユーザ識別情報及び前記バーチャル番号に対応付けられた前記利用料を示す請求情報を受信するステップと、
を含むことを特徴とする方法。
【発明の詳細な説明】
【技術分野】
【０００１】
本発明は、番号対応付けサーバ及びその方法に関する。
【背景技術】
【０００２】
従来、ユーザに利用されるカードの一例であるクレジットカードは、現実の店舗においては掲示するだけ、またインターネット上の店舗においては番号を入力するだけで商品等の対価を支払うことができので、利便性がよく、多くのユーザに利用されている。
【０００３】
近年、クレジットカードで公共料金を支払うユーザも増えている。このようなクレジットカードを用いた支払方法では、公共事業者はクレジットカード会社に対して請求を行う。クレジットカード会社は、公共事業者からの請求を受け付けた後、顧客に対して請求を行う（特許文献１参照）。このようにクレジットカードを用いた支払方法では、顧客が支払うべき公共料金をクレジットカード会社が一時的に立て替え、その後にクレジットカード会社が顧客に対して該当する金額の請求を行う。
【先行技術文献】
【特許文献】
【０００４】
【特許文献１】特開２００８−１２３４６０号公報
【発明の概要】
【発明が解決しようとする課題】
【０００５】
ところで、ユーザは、例えば、電気事業者、水道事業者、ガス事業者、電話事業者、通信販売事業者等に対して、それぞれクレジットカードの番号をあらかじめ登録しておくことで、クレジットカードを利用して公共料金等を支払うことができる。
【０００６】
しかしながら、例えば、クレジットカードの紛失等の理由によりクレジットカードを再発行等した場合、新たな番号のクレジットカードが再発行される。このような場合、ユーザは、クレジットカードを利用して支払をしている事業者（電気事業者、水道事業者、ガス事業者、電話事業者、通信販売事業者等）に対して、それぞれクレジットカードの番号を変更する手続を行わなくてはならず、ユーザの利便性を低下させていた。
【０００７】
したがって、本発明では、上記のような観点から、カードの番号を変更した場合のユーザの利便性を向上可能とすることを目的とする。
【課題を解決するための手段】
【０００８】
上記課題を解決するため、本発明は、以下のような解決手段を提供する。
【０００９】
（１）本発明の第１の態様では、ユーザのカードを利用する自動引き落とし契約の利用料を請求する請求サーバとネットワークを介して接続される番号対応付けサーバであって、前記ユーザを識別するユーザ識別情報と共に前記カードのカード番号にバーチャル番号を示す特定文字列を1対１に対応付ける特定文字列対応付け手段と、前記請求サーバから、前記ユーザ識別情報及び前記バーチャル番号に対応付けられた前記利用料を示す請求情報を受信する請求情報受信手段と、を備えることを特徴とする。
【００１０】
（２）上記（１）の構成において、前記カード番号が変更された場合、前記バーチャル番号に対応付けられたカード番号を変更後のカード番号に更新する更新手段を備えることを特徴とする。
【００１１】
（３）上記（１）又は（２）の構成において、前記ユーザ識別情報及び前記バーチャル番号に基づき、与信を照会する照会手段を、さらに備え、前記特定文字列対応付け手段は、前記照会手段による照会結果に応じて、前記ユーザ識別情報及び前記カード番号に対応付けた特定文字列対応付け情報を生成することを特徴とする。
【００１２】
（４）また、本発明の第２の態様は、ユーザのカードを利用する自動引き落とし契約の利用料を請求する請求サーバとネットワークを介して接続される番号対応付けサーバが実行する方法であって、前記ユーザを識別するユーザ識別情報と共に前記カードのカード番号に前記カードのバーチャル番号を示す特定文字列を1対１に対応付けるステップと、前記請求サーバから、前記ユーザ識別情報及び前記バーチャル番号に対応付けられた前記利用料を示す請求情報を受信するステップと、を含むことを特徴とする。
【発明の効果】
【００１３】
本発明によれば、カードの番号を変更した場合のユーザの利便性を向上可能となる。
【図面の簡単な説明】
【００１４】
【図１】本発明の実施形態に係る番号対応付けシステムの基本構成の概念を示す図である。
【図２】本発明の実施形態に係る番号対応付けシステムの機能構成を示す図である。
【図３】本発明の実施形態に係る特定文字列対応付けＤＢの一例を説明する図である。
【図４】本発明の実施形態に係る特定文字列対応付け依頼画面の一例を説明する図である。
【図５】本発明の実施形態に係る特定文字列情報通知画面の一例を説明する図である。
【図６】本発明の実施形態に係る支払い情報登録画面の一例を説明する図である。
【図７】本発明の実施形態に係る番号対応付けサーバが実行する番号対応付け処理フローを示す図である。
【発明を実施するための形態】
【００１５】
以下、添付図面を参照して、本発明を実施するための形態（以下、実施形態）について詳細に説明する。以降の図においては、実施形態の説明の全体を通して同じ要素には同じ番号又は符号を付している。また、機能構成の図において、機能ブロック間の矢印は、データの流れ方向、又は処理の流れ方向を表す。
【００１６】
（基本概念／基本構成）
図１は、本発明の実施形態に係る番号対応付けシステムの基本構成の概念を示す図である。番号対応付けシステム１は、ユーザのカードの一例であるクレジットカードの識別コードの一例であるクレジットカード番号に、特定文字列（バーチャル番号）を対応付け、このバーチャル番号をユーザに通知し、このバーチャル番号をユーザがクレジットカード番号の代わりに利用可能とするシステムである。なお、識別コード及び特定文字列は、所定の数字を並べた番号でもよいし、アルファベット、カナ、記号等を並べたものでもよいし、数字とアルファベットやカナ等を混合して並べたものでもよい。また、特定文字列（バーチャル番号）は、各ユーザがそれぞれ国から付与されたマイナンバーであってもよい。
【００１７】
ここで、本実施形態の説明では、「カード」の一例としてクレジットカードで説明するが、これに限らず、本発明は、番号が振られたカードであれば、クレジットカードに限らず、例えば、クレジットカードを、キャッシュカード、クレジット又はプリペイド系のカードである交通系カード、石油会社系カード、通信会社系カード等に置き換えてもよい。
【００１８】
具体的には、番号対応付けシステム１は、互いにネットワークを介して接続された、バーチャル番号を対応付ける番号対応付けサーバ１０と、ユーザに操作されるユーザ端末２０と、ユーザの利用料を請求する請求サーバ３０と、を備える。番号対応付けサーバ１０は、例えば、アクワイアラーであるクレジットカード会社が運用するサーバであるが、銀行等の金融機関が運用するサーバや、各種カードを提供する会社が運用するサーバであってもよい。また、ユーザ端末２０は、タブレット端末、パーソナルコンピュータ、スマートフォン等で構成されている。請求サーバ３０は、クレジットカードの加盟店であり、例えば、電力会社、水道局、ガス会社、通信販売業者等のユーザの利用料を請求する会社が運用するサーバである。
【００１９】
まず、番号対応付けサーバ１０は、ユーザ端末２０からクレジットカード番号を示す識別コード情報の送信や、書面の提出等の所定の方法により、ユーザからクレジットカード番号が通知された場合、バーチャル番号を発行し、ユーザを識別するユーザ識別情報及びクレジットカード番号を示す識別コード情報にバーチャル番号を示す特定文字列情報を対応付け記憶する。また、番号対応付けサーバ１０は、ユーザから新たにクレジットカードの発行の依頼があった場合、新たにクレジットカード番号を発行するときに、バーチャル番号を発行し、これらを対応付けて記憶してもよい。
【００２０】
次に、番号対応付けサーバ１０は、識別コード情報に対応付けた特定文字列情報をユーザ端末２０に送信したり、郵送等の方法により、当該特定文字列情報が示すバーチャル番号をユーザに通知する。
【００２１】
ユーザは、クレジットカードの加盟店（電力会社、水道局、ガス会社、通信販売業者等）への支払情報として、クレジットカード番号の代わりに、バーチャル番号を登録する。ユーザは、ユーザ端末２０により、クレジットカードの加盟店が運用する請求サーバ３０にアクセスし、自己の支払情報として、クレジットカード番号を示す識別コード情報の代わりに、バーチャル番号を示す特定文字列情報を送信してもよい。この場合、請求サーバ３０は、ユーザ端末２０から受信したユーザ識別情報及び特定文字列情報に基づき、当該特定文字列情報が示すバーチャル番号の与信について問合せ情報を番号対応付けサーバ１０に送信してもよい。そして、番号対応付けサーバ１０は、請求サーバ３０から問合せ情報を受信した場合、当該バーチャル番号がユーザ識別情報に対応付けられ記憶されているかを判断し、この判断結果に基づく与信についての回答を示す回答情報を当該請求サーバ３０に送信してもよい。
【００２２】
請求サーバ３０は、ユーザの利用料（電気使用料、水道料、ガス使用料、購入された商品の代金等）を示す請求情報に、当該ユーザを識別するユーザ識別情報及び登録されたバーチャル番号を示す特定文字列情報を対応付けて、番号対応付けサーバ１０に送信する。
【００２３】
番号対応付けサーバ１０は、請求サーバ３０から送信された請求情報に基づき、当該請求情報に対応付けられたユーザ識別情報で識別されるユーザに、利用料を請求する。
【００２４】
ここで、例えば、クレジットカードの紛失等により、発行されたクレジットカードが破棄され、新たにクレジットカードが発行され、クレジットカード番号も新たに発行される場合がある。このように、同一のユーザにおいて、クレジットカード番号が変更された場合、番号対応付けサーバ１０は、特定文字列情報に対応付けた識別コード情報を、変更されたクレジットカード番号の識別コードに更新する。
【００２５】
このような番号対応付けサーバ１０によれば、ユーザは、クレジットカード番号の代わりにバーチャル番号を利用することが可能となる。そして、バーチャル番号は、クレジットカード番号を変更しても変わらない。
【００２６】
ここで、ユーザは、電力会社、水道局、ガス会社、通信販売業者等の複数の事業者において、クレジットカードを利用して支払をする場合、あらかじめ、各事業者に対して、それぞれクレジットカード番号を登録しておくことで、これらの事業者に対しての支払いをクレジットカードにより決済することができる。この場合、ユーザは、クレジットカード番号が変わったら、全ての事業者に対して、クレジットカード番号を変更する手続をそれぞれ行わなくてはならず、ユーザの利便性を低下させていた。
【００２７】
番号対応付けサーバ１０によれば、クレジットカード番号の代わりにバーチャル番号を利用して支払いをすることが可能となる。そして、バーチャル番号はクレジットカード番号が変更されても変わらないので、ユーザは、バーチャル番号を利用することで、クレジットカード番号を変更しても、事業者に対して変更手続きをする必要がない。したがって、カードの番号を変更した場合のユーザの利便性を向上可能となる。
【００２８】
（機能構成）
図２は、本発明の実施形態に係る番号対応付けシステムの機能構成を示す図である。番号対応付けシステム１は、ユーザのカードの識別コードに特定文字列を対応付ける番号対応付けサーバ１０と、番号対応付けサーバ１０にネットワークを介して接続された、ユーザ端末２０及び請求サーバ３０と、を備える。
【００２９】
番号対応付けサーバ１０は、受信手段１０１と、照会手段１０２と、特定文字列対応付け手段１０３と、特定文字列情報送信手段１０４と、請求情報受信手段１０５と、請求情報処理手段１０６と、特定文字列対応付けデータベース（以下、特定文字列対応付けＤＢとも言う。）１１０と、を備える。
【００３０】
受信手段１０１は、ユーザ端末２０から、ユーザを識別するユーザ識別情報及びカードの一例であるクレジットカードの識別コード（クレジットカード番号）を示す識別コード情報を受信する。具体的には、番号対応付けサーバ１０は、ユーザ端末２０のアクセスに応じて、ユーザ端末２０において特定文字列対応付け依頼画面を表示させるための特定文字列対応付け依頼画面情報をユーザ端末２０に送信する。受信手段１０１は、特定文字列対応付け依頼情報として、ユーザ端末２０で特定文字列対応付け依頼画面において入力されたユーザの氏名や暗証番号等のユーザ識別情報と、クレジットカード番号を示す識別コード情報を受信する。本実施形態において、特定文字列対応付け依頼画面は、ユーザ端末２０において表示される画面であり、既にクレジットカードを所有しているユーザからバーチャル番号の発行依頼を受け付けたり、クレジットカード番号の変更を受け付けたりする画面である。また、番号対応付けサーバ１０は、特定文字列対応付け依頼画面において、クレジットカードを所有していないユーザから、バーチャル番号付きのクレジットカードの発行を受け付けてもよい。
【００３１】
照会手段１０２は、受信手段１０１が受信したユーザ識別情報及び識別コード情報に基づき、与信を照会する。
【００３２】
特定文字列対応付け手段１０３は、照会手段１０２による照会結果に応じて、ユーザを識別するユーザ識別情報及びクレジットカードのクレジットカード番号を示す識別コード情報に、バーチャル番号を示す特定文字列情報を対応付ける。
【００３３】
詳細には、特定文字列対応付け手段１０３は、照会手段１０２による照会結果が、クレジットカードの利用が可能である場合、バーチャル番号を発行し、ユーザ識別情報及び識別コード情報に、このバーチャル番号を示す特定文字列情報を対応付けた特定文字列対応付け情報を生成し、特定文字列対応付けＤＢ１１０に記憶する。
【００３４】
また、特定文字列対応付け手段１０３は、特定文字列対応付けＤＢ１１０において、ユーザ識別情報及び特定文字列情報に、複数の識別コード情報を対応付け可能である。
【００３５】
図３は、本発明の実施形態に係る特定文字列対応付けＤＢの一例を説明する図である。特定文字列対応付けＤＢ１１０は、ユーザ識別情報及びクレジットカード情報に、特定文字列情報（バーチャル番号）が対応付けられている。また、特定文字列情報（バーチャル番号）には、請求元識別情報が対応付けられている。ユーザ識別情報は、ユーザを識別できれば任意の情報でよいが、図３に示す例ではユーザの名前及び暗証番号を示す情報が含まれる。また、クレジットカード情報は、図３に示す例では識別コード情報（クレジットカード番号）及び有効期限が含まれる。なお、特定文字列対応付けＤＢ１１０には、同一のユーザ及び同一の特定文字列情報に、複数のクレジットカード情報を対応付けてもよい。また、請求元識別情報は、クレジットカードの加盟店の識別情報やこれらの加盟店が運営する請求サーバ３０の識別情報である。なお、請求元識別情報毎に、特定文字列情報（バーチャル番号）を対応付けてもよい。
【００３６】
図２に戻って、特定文字列情報送信手段１０４は、特定文字列対応付け手段１０３により、特定文字列対応付けＤＢ１１０において、ユーザ識別情報及びクレジットカード情報に対応付けられた特定文字列情報（バーチャル番号）を通知する特定文字列通知画面を表示させるための特定文字列情報通知情報を、ユーザ端末２０に送信する。
【００３７】
請求情報受信手段１０５は、請求サーバ３０から、請求サーバ３０を運営する事業者（クレジットカードの加盟店）を識別する請求元識別情報と、ユーザ識別情報及び特定文字列情報に対応付けられた利用料を示す請求情報と、を受信する。
【００３８】
請求情報処理手段１０６は、請求情報受信手段１０５が受信した、ユーザ識別情報及び特定文字列情報に対応付けられた請求情報に基づき、特定文字列対応付けＤＢ１１０（図３参照）を参照して、請求処理を行う。具体的には、請求情報処理手段１０６は、請求情報受信手段１０５が受信した請求情報に対応付けられたユーザ識別情報及び特定文字列情報から識別コード情報（クレジットカード番号）を特定し、通常のクレジットカードにおける請求処理と同様の処理を行う。
【００３９】
また、請求情報処理手段１０６は、特定文字列対応付けＤＢ１１０（図３参照）において、ユーザ識別情報及び特定文字列情報に複数の識別コード情報（クレジットカード番号）が対応付けられていた場合、請求情報受信手段１０５が受信した請求元識別情報に基づき、特定文字列対応付けＤＢ１１０で当該請求元識別情報が対応付けられた識別コード情報（クレジットカード番号）を特定し、通常のクレジットカードにおける請求処理と同様の処理を行う。
【００４０】
また、請求情報処理手段１０６は、特定した識別コード情報（クレジットカード番号）に、請求情報受信手段１０５が受信した、ユーザ識別情報及び請求情報を対応付けた請求処理情報を生成する。そして、例えば、番号対応付けサーバ１０が、複数種類のクレジットカード会社と提携する会社が運用するサーバであり、複数種類のクレジットカードに共通するバーチャル番号を発行する場合には、請求情報処理手段１０６は、特定した識別コード情報（クレジットカード番号）を発行したクレジットカード会社が運営するサーバに、請求処理情報を送信する。また、番号対応付けサーバ１０が、あるクレジットカード会社が運用するサーバである場合には、請求情報処理手段１０６は、ユーザ端末２０に請求処理情報を送信する。
【００４１】
更新手段１０７は、クレジットカード番号が変更された場合、照会手段１０２による照会結果が、クレジットカードの発行が可能との結果であれば、特定文字列対応付けＤＢ１１０に記憶された特定文字列対応付け情報のクレジットカード番号を、変更されたクレジットカード番号を示す識別コード情報に更新する。
【００４２】
ユーザ端末２０は、例えば、タブレット端末、パーソナルコンピュータ、スマートフォン等で構成され出力手段２０１と、入力手段２０２と、端末制御手段２０３と、を備える。
【００４３】
出力手段２０１は、ディスプレイやスピーカで構成され、番号対応付けサーバ１０から受信した特定文字列対応付け依頼画面情報に基づき、特定文字列対応付け依頼画面を出力する。図４は、本発明の実施形態に係る特定文字列対応付け依頼画面の一例を説明する図である。図４に示す例では、出力手段２０１に表示された特定文字列対応付け依頼画面には、「バーチャル番号発行依頼」という表題と、クレジットカード番号、有効期限、名義人（図４中「ＮＡＭＥ」）の入力を促す表示がされている。
【００４４】
図２に戻って、また、出力手段２０１は、番号対応付けサーバ１０から受信した特定文字列情報通知情報に基づき、特定文字列情報通知画面を出力する。図５は、本発明の実施形態に係る特定文字列情報通知画面の一例を説明する図である。図５に示す例では、出力手段２０１に表示された特定文字列情報通知画面には、「バーチャル番号発行」という表題と、バーチャル番号（図５中「９９９９−１２３４−５６７８−ｘｘｘｘ」）クレジットカード番号、有効期限、名義人（図５中「ＮＡＭＥ」）が表示されている。
【００４５】
図２に戻って、また、出力手段２０１は、請求サーバ３０から受信した支払い情報登録画面情報に基づき、支払い情報登録画面を出力する。図６は、本発明の実施形態に係る支払い情報登録画面の一例を説明する図である。図６に示す例では、出力手段２０１に表示された支払い情報登録画面には、加盟店である事業社を示す情報（図６中「ＡＡＡ電力」）が表示されている。そして、支払い情報登録画面には、バーチャル番号に関する情報（バーチャル番号、名義人（図６中「ＮＡＭＥ」））又はクレジットカード情報（クレジットカード会社の選択、クレジットカード番号、名義人（図６中「ＮＡＭＥ」）、有効期限）の入力を促す表示がされている。本実施形態では、バーチャル番号に有効期限を設定していない。これにより、例えば、クレジットカードの有効期限が切れ、新たな有効期限で再発行された場合であっても、ユーザは加盟店に対して支払い情報を更新する手間を省くことが可能となり、ユーザの利便性が向上する。なお、バーチャル番号に有効期限を設定してもよい。この場合、バーチャル番号の有効期限は、バーチャル番号に対応付けられたクレジットカードの有効期限とは別（例えば、クレジットカードの有効期限より遅い期限）に設定するのが好ましいが、クレジットカードの有効期限と同一でもよい。
【００４６】
図２に戻って、入力手段２０２は、特定文字列対応付け依頼画面（図４参照）において、ユーザの操作に基づき、クレジットカード番号を示す識別コード情報や、クレジットカードの有効期限や、ユーザの氏名であるユーザ識別情報の入力を受け付ける。また、入力手段２０２は、支払い情報登録画面（図６参照）において、ユーザの操作に基づき、クレジットカード番号を示す識別コード情報又はバーチャル番号を示す特定文字列情報や、クレジットカードの有効期限や、ユーザの氏名であるユーザ識別情報の入力を受け付ける。
【００４７】
端末制御手段２０３は、ユーザ端末２０全体を制御し、入力手段２０２で受け付けた各種情報を番号対応付けサーバ１０又は請求サーバ３０に送信する。
【００４８】
請求サーバ３０は、ユーザ端末２０からのアクセスに応じて、ユーザ端末２０に支払い情報登録画面情報を送信し、ユーザ端末２０から受信した識別コード情報又は特定文字列情報や、ユーザ識別情報を記憶する。そして、請求サーバ３０は、この記憶した識別コード情報又は特定文字列情報やユーザ識別情報に、ユーザの利用料を示す請求情報を対応付け、請求元識別情報とともに番号対応付けサーバ１０に送信する。
【００４９】
上記の本システムの機能構成は、あくまで一例であり、一つの機能ブロック（データベース及び機能処理部）を分割したり、複数の機能ブロックをまとめて一つの機能ブロックとして構成したりしてもよい。各機能処理部は、装置に内蔵されたＣＰＵ（Central  Processing  Unit）が、ＲＯＭ（Read  Only  Memory）、フラッシュメモリ、ＳＳＤ(Solid  State  Drive)、ハードディスク等の記憶装置に格納されたコンピュータ・プログラムを読み出し、ＣＰＵにより実行されたコンピュータ・プログラムによって実現される。すなわち、各機能処理部は、このコンピュータ・プログラムが、記憶装置に格納されたデータベース（ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００５０】
（処理フロー）
以降の処理フロー図（フローチャート）においては、各ステップの入力と出力の関係を損なわない限り、各ステップの処理順序を入れ替えてもよい。
【００５１】
図７は、本発明の実施形態に係る番号対応付けサーバが実行する番号対応付け処理フローを示す図である。ステップＳ１において、受信手段１０１は、特定文字列対応付け依頼情報として、ユーザ端末２０で特定文字列対応付け依頼画面（図４参照）において入力されたユーザの氏名や暗証番号等のユーザ識別情報と、クレジットカード番号を示す識別コード情報を受信する。
【００５２】
ステップＳ２において、照会手段１０２は、ステップＳ１で受信手段１０１が受信したユーザ識別情報及び識別コード情報に基づき、与信を照会する。
【００５３】
ステップＳ３において、照会手段１０２は、ステップＳ２の照会結果が、クレジットカードの利用が可能である場合にはステップＳ４に処理を移し、クレジットカードの利用が可能でない場合には本処理を終了する。
【００５４】
ステップＳ４において、特定文字列対応付け手段１０３は、ステップＳ１で受信手段１０１が受信したユーザ識別情報に基づき、特定文字列対応付けＤＢ１１０（図３参照）を参照して、既に特定文字列（バーチャル番号）が当該ユーザ識別情報に対応付け済みか否かを判断し、対応付け済みと判断した場合にはステップＳ７に処理を移し、対応付け済みと判断しない場合にはステップＳ５に処理を移す。
【００５５】
ステップＳ５において、特定文字列対応付け手段１０３は、ユーザ識別情報及び識別コード情報に、バーチャル番号を示す特定文字列情報を対応付ける。
【００５６】
ステップＳ６において、特定文字列情報送信手段１０４は、ステップＳ５でユーザ識別情報及び識別コード情報に対応付けられた特定文字列情報（バーチャル番号）を通知する特定文字列通知画面を表示させるための特定文字列情報通知情報を、ユーザ端末２０に送信する。
【００５７】
ステップＳ７において、更新手段１０７は、ステップＳ５で特定文字列対応付け手段１０３が対応付けたクレジットカード番号を示す識別コード情報を、変更されたクレジットカード番号を示す識別コード情報に更新する。
【００５８】
（実施形態の効果）
本実施形態に係る番号対応付けサーバ１０によれば、ユーザの利用料を請求する請求サーバ３０とネットワークを介して接続され、ユーザのクレジットカードのクレジットカード番号にバーチャル番号を対応付け、特定文字列対応付け手段１０３と、請求情報受信手段１０５と、更新手段１０７と、を備える。特定文字列対応付け手段１０３は、ユーザを識別するユーザ識別情報及びクレジットカード番号を示す識別コード情報に、バーチャル番号を示す特定文字列情報を対応付ける。更新手段１０７は、クレジットカード番号が変更された場合、特定文字列対応付け手段１０３が対応付けるクレジットカード番号を示す識別コード情報を、変更されたクレジットカード番号を示す識別コード情報に更新する。請求情報受信手段１０５は、請求サーバ３０から、ユーザ識別情報及び特定文字列情報に対応付けられた利用料を示す請求情報を受信する。これにより、クレジットカード番号の代わりにバーチャル番号を利用して支払いをすることが可能となる。そして、バーチャル番号はクレジットカード番号が変更されても変わらないので、ユーザは、バーチャル番号を利用することで、クレジットカード番号を変更しても、事業者に対して変更手続きをする必要がない。したがって、カードの番号を変更した場合のユーザの利便性を向上可能となる。
【００５９】
また、特定文字列対応付け手段１０３は、ユーザ識別情報及び特定文字列情報に、複数の識別コード情報を対応付け可能である。これにより、複数のクレジットカードを一つのバーチャル番号で利用可能となるので、支払いの融通性が向上可能となる。
【００６０】
また、番号対応付けサーバ１０は、ユーザ識別情報及び識別コード情報に基づき、与信を照会する照会手段１０２を、さらに備える。特定文字列対応付け手段１０３は、照会手段１０２による照会結果に応じて、ユーザ識別情報及び識別コード情報に、特定文字列情報を対応付けた特定文字列対応付け情報を生成し、更新手段１０７は、照会手段１０２による照会結果に応じて、特定文字列対応付け手段１０３が生成した特定文字列対応付け情報のクレジットカード番号を示す識別コード情報を、変更されたクレジットカード番号を示す識別コード情報に更新する。これにより、バーチャル番号の不正利用を防止可能となる。
【００６１】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【００６２】
なお、上記の実施形態では、本発明を物の発明として、番号対応付けサーバ（番号対応付けシステム）について説明したが、本発明は、方法の発明（番号対応付け方法）又はコンピュータ・プログラムの発明（番号対応付けプログラム）としても捉えることもできる。
【符号の説明】
【００６３】
１      番号対応付けシステム
１０    番号対応付けサーバ
２０    ユーザ端末
３０    請求サーバ
１０１  受信手段
１０２  照会手段
１０３  特定文字列対応付け手段
１０４  特定文字列情報送信手段
１０５  請求情報受信手段
１０６  請求情報処理手段
１０７  更新手段
１１０  特定文字列対応付けＤＢ
２０１  出力手段
２０２  入力手段
２０３  端末制御手段
【図１】
2020187799.tif 000003
【図２】
2020187799.tif 000004
【図３】
2020187799.tif 000005
【図４】
2020187799.tif 000006
【図５】
2020187799.tif 000007
【図６】
2020187799.tif 000008
【図７】
2020187799.tif 000009